(57)【要約】【課題】組立及び解体が容易で、保形性にも優れた段ボール製トレイを提供する。【解決手段】底壁１の周囲に側壁２及び端壁３を備え、側壁２を外側板４及び内側板６から構成し、端壁３を外端板７及び内端板９から構成し、側壁２から延出した挟持片１０，１１を端壁３に挟み込む段ボール製トレイにおいて、内端板９の側端辺に、谷折線１２を介して係止片１３を突設し、内側板６の側端部に、係止片１３に対応する形状の係止穴１５を開口させ、外側板４の側端部に、切目線１６を入れて押込片１７を形成しておき、組立てに際し、内端板９から谷折線１２に沿って折れ曲がった係止片１３が係止穴１５に嵌まり込むと、内端板９の反発による戻りが防止されたロック状態となり、解体に際し、押込片１７を内側へ押し込むと、押込片１７に押された係止片１３が係止穴１５から抜け出して、ロックが解除され、内端板９が跳ね上げられるようにする。【選択図】図３
2014133580.tif 000002
【特許請求の範囲】
【請求項１】
底壁(1)の周囲に側壁(2)及び端壁(3)を備え、側壁(2)を、底壁(1)に順次連設した外側板(4)及び内側板(6)から構成すると共に、端壁(3)を、底壁(1)に順次連設した外端板(7)及び内端板(9)から構成し、側壁(2)から延出した挟持片(10,11)を端壁(3)に挟み込んで、組立形状を維持する段ボール製トレイにおいて、前記内端板(9)の側端辺に、谷折線(12)を介して係止片(13)を突設し、前記内側板(6)の側端部に、係止片(13)に対応する形状の係止穴(15)を開口させ、前記外側板(6)の側端部に、切目線(16)を入れて押込片(17)を形成しておき、組立てに際し、内端板(9)から谷折線(12)に沿って折れ曲がった係止片(13)が係止穴(15)に嵌まり込むと、内端板(9)の反発による戻りが防止されたロック状態となり、解体に際し、押込片(17)を内側へ押し込むと、押込片(17)に押された係止片(13)が係止穴(15)から抜け出して、ロックが解除され、内端板(9)が跳ね上げられるようにしたことを特徴とする段ボール製トレイ。
【発明の詳細な説明】
【技術分野】
【０００１】
この発明は、二重構造の側壁及び端壁を備えた段ボール製トレイにおいて、組立時に形状維持のためロックし、解体時に解除するロック機構を有するものに関する。
【背景技術】
【０００２】
贈答箱等の身箱に使用される段ボール製トレイとして、下記特許文献１には、図８に示すようなものが記載されている。
【０００３】
このトレイは、底壁５１の周囲に、それぞれ対向する側壁５２及び端壁５３を備え、側壁５２を、底壁５１に順次連設した外側板５４、額縁部５５及び内側板５６から構成すると共に、端壁５３を、底壁５１に順次連設した外端板５７、額縁部５８及び内端板５９から構成し、側壁５２から延出した挟持片６０を端壁５３に挟み込むものである。
【０００４】
そして、内端板５９の側端部に突設した係止突起６１を、内側板５６の側端部に設けた係止切欠６２に係合させ、内端板５９の反発による戻りを防止したロック状態とし、組立形状を維持している。
【０００５】
また、外端板５７の中間部には、外端板５７及び内端板５９に対し挟持片６０が重ならない位置において、複数の繋部を有する切目線６４及び押罫の山折線６５を入れて、押込片６６が形成されている。
【０００６】
これにより、解体に際し、切目線６４の繋部の切断に伴い、山折線６５をヒンジとして押込片６６を内側へ押し込むと、押込片６６の先端で内端板５９が押され、係止突起６１と係止切欠６２の係合が外れたロック解除状態となり、内端板５９を跳ね上げて、偏平に解体することができる。なお、底壁５１及び内側板５６には、二つ折りしてコンパクト化するための折目線６８が入れられている。
【先行技術文献】
【特許文献】
【０００７】
【特許文献１】登録実用新案第３０６４６３６号公報
【発明の概要】
【発明が解決しようとする課題】
【０００８】
しかしながら、上記のようなトレイでは、組み立てに際し、係止突起６１が内側板５６に圧接して潰れ、指で押し込まなければ、係止切欠６２に係合しない場合があり、ロックしにくいという問題がある。
【０００９】
また、運搬時に押込片６６が不意に押されると、係止突起６１と係止切欠６２との係合が外れて、内端板５９が跳ね上がり、その状態で傾けられた場合、内容物の荷重により、端壁５３が外側へ倒れるおそれがある。
【００１０】
また、押込片６６を、外端板５７の挟持片６０が重ならない位置に設ける必要上、挟持片６０の長さが制約され、これを避けるため、端壁５３の方向を長くすると、内端板５９が撓んで、係止突起６１と係止切欠６２の係合が外れやすくなるおそれもある。
【００１１】
そこで、この発明は、段ボール製トレイを、組立及び解体が容易で、運搬時の保形性にも優れたものとすることを課題とする。
【課題を解決するための手段】
【００１２】
上記課題を解決するため、この発明は、底壁の周囲に側壁及び端壁を備え、側壁を、底壁に順次連設した外側板及び内側板から構成すると共に、端壁を、底壁に順次連設した外端板及び内端板から構成し、側壁から延出した挟持片を端壁に挟み込んで、組立形状を維持する段ボール製トレイにおいて、前記内端板の側端辺に、谷折線を介して係止片を突設し、前記内側板の側端部に、係止片に対応する形状の係止穴を開口させ、前記外側板の側端部に、切目線を入れて押込片を形成しておき、組立てに際し、内端板から谷折線に沿って折れ曲がった係止片が係止穴に嵌まり込むと、内端板の反発による戻りが防止されたロック状態となり、解体に際し、押込片を内側へ押し込むと、押込片に押された係止片が係止穴から抜け出して、ロックが解除され、内端板が跳ね上げられるようにしたのである。
【発明の効果】
【００１３】
この発明に係る段ボール製トレイでは、組立時に係止片が内端板から谷折線に沿って受動的に折れ曲がり、その後、反発により係止穴に嵌まり込んで、ロック状態となるので、容易に組み立てられる。
【００１４】
また、押込片を内側へ押し込むだけで、係止片が係止穴から押し出されて、ロックが解除されるので、容易に解体することができ、押込片で内端板を押す構造ではないため、運搬時に不意に内端板が跳ね上げられて、形状が崩れることもない。
【００１５】
さらに、押込片を設けることによって、端壁に挟み込む挟持片の長さが制約されたり、トレイの長手方向が限定されることもなく、側壁と端壁とをしっかりと係合させて、保形性に優れたものとすることができる。
【図面の簡単な説明】
【００１６】
【図１】この発明に係る段ボール製トレイのブランクを示す裏面図
【図２】同上の組立過程を示す斜視図
【図３】同上の組立状態を示す斜視図
【図４】同上の解体過程における押込片の押込状態を示す斜視図
【図５】同上の内端板の跳ね上げ状態を示す斜視図
【図６】同上の（ａ）ロック状態、（ｂ）ロック解除状態をそれぞれ示すコーナー部拡大斜視図
【図７】同上の（ａ）ロック状態、（ｂ）ロック解除状態をそれぞれ示すコーナー部拡大横断平面図
【図８】従来の段ボール製トレイの組立状態を示す斜視図
【発明を実施するための形態】
【００１７】
以下、この発明の実施形態を添付図面に基づいて説明する。
【００１８】
この段ボール製トレイのブランクでは、図１に示すように、長方形の底壁１の一対の長辺に側壁２が連設され、一対の端辺に端壁３が連設されている。側壁２は、底壁１に順次連設した外側板４、額縁部５及び内側板６から構成され、端壁３は、底壁１に順次連設した外端板７、額縁部８及び内端板９から構成されている。外側板４及び内側板６の両側端には、それぞれ挟持片１０，１１が連設されている。
【００１９】
内端板９の側端辺には、段ボールの表面から押圧した谷折線１２を介して、台形状の係止片１３が突設されている。内端板９の先端辺の中央部には、半円状に切り欠いた指掛部１４が形成されている。谷折線１２は、段ボールを表面側が凹状となるように折り曲げるための罫線である。
【００２０】
内側板６の側端部には、挟持片１１との境界に臨んで、係止片１３に対応する形状の係止穴１５が開口している。係止穴１５は、係止片１３が嵌まり込むように、係止片１３よりも若干大きくなっている。
【００２１】
外側板４の側端部には、複数の繋部を有する切目線１６を入れて押込片１７が形成されている。押込片１７もまた、係止片１３に対応する形状とされ、係止片１３と同程度の大きさとされている。
【００２２】
ここで、切目線１６の繋部により、後述の組み立て作業に際して、押込片１７が外側板４から分離することが防止され、組立状態での使用時に、押込片１７が不意に押し込まれることが防止される。
【００２３】
このようなブランクからトレイを組み立てるには、図２に示すように、底壁１から側壁２の外側板４を起立させ、額縁部５を内側水平方向へ、内側板６を下方へ順次折り曲げ、両側壁２から挟持片１０，１１をそれぞれ内側へ折り曲げて重ね合わせる。このとき、挟持片１１は、先端同士が突き合わされる。
【００２４】
次に、底壁１から端壁３の外端板７、額縁部８及び内端板９を巻き込むように折り曲げると、係止片１３が内端板９から谷折線１２に沿って受動的に折れ曲がる。
【００２５】
そして、図３、図６（ａ）、図７（ａ）に示すように、挟持片１０，１１を外端板７と内端板９の間に挟み込み、内端板９が垂下状態となると、係止片１３が反発で係止穴１５に嵌まり込んで、内端板９の反発による戻りが防止されたロック状態となり、側壁２及び端壁３が起立状態に保持されて、組立形状が維持される。
【００２６】
係止片１３が係止穴１５に完全に嵌まり込まなかった場合には、補助的に、指で係止片１３を軽く押して、係止穴１５に嵌め込む。このとき、係止片１３で押込片１７を外側へ強く押さないようにする。
【００２７】
一方、このトレイを解体する際には、図４、図６（ｂ）、図７（ｂ）に示すように、切目線１６の繋部の切断に伴い、押込片１７を内側へ押し込むと、押込片１７に押された係止片１３が係止穴１５から抜け出して、ロックが解除され、指掛部１４に指を掛けて引っ張ることにより、図５に示すように、内端板９を跳ね上げることができる。
【００２８】
上記のような段ボール製トレイでは、組立時に係止片１３が内端板９から谷折線１２に沿って受動的に折れ曲がり、その後、反発により係止穴１５に嵌まり込んで、ロック状態となるので、容易に組み立てられる。
【００２９】
また、押込片１７を押し込むだけで、係止片１３が係止穴１５から押し出されて、ロックが解除されるので、容易に解体することができ、押込片１７で内端板９を押す構造ではないため、運搬時に不意に内端板９が跳ね上げられて、形状が崩れることもない。
【００３０】
さらに、押込片１７を設けることによって、端壁３に挟み込む挟持片１０，１１の長さが制約されたり、トレイの長手方向が限定されることもなく、側壁２と端壁３とをしっかりと係合させて、保形性に優れたものとすることができる。
【００３１】
なお、上記実施形態では、押込片１７が係止片１３に対応する形状のトレイを例示したが、押込片１７は、係止穴１５を介して係止片１３を押せるものであれば、係止片１３に対応する形状でなくてもよい。
【００３２】
また、各コーナー部分に、係止片１３、係止穴１５及び押込片１７から成るロック機構を１組ずつ設けたトレイを例示したが、各コーナー部分に、上記ロック機構をそれぞれ複数組設けてもよい。
【００３３】
さらに、両方の端壁３側に、上記ロック機構を設けたトレイを例示したが、一方の端壁３側にのみ、上記ロック機構を設けるようにし、他方の端壁３は、組立状態で起伏可能な支持構造等としてもよい。
【００３４】
また、平面形状が四角形のトレイを例示したが、側壁２が周方向に角度をなすように屈曲して、平面形状が六角形や八角形状となったトレイにおいても、同様のロック機構を備えた構成とすることができる。
【符号の説明】
【００３５】
１  底壁
２  側壁
３  端壁
４  外側板
５  額縁部
６  内側板
７  外端板
８  額縁部
９  内端板
１０，１１  挟持片
１２  谷折線
１３  係止片
１４  指掛部
１５  係止穴
１６  切目線
１７  押込片
【図１】
2014133580.tif 000003
【図２】
2014133580.tif 000004
【図３】
2014133580.tif 000005
【図４】
2014133580.tif 000006
【図５】
2014133580.tif 000007
【図６】
2014133580.tif 000008
【図７】
2014133580.tif 000009
【図８】
2014133580.tif 000010